(57)【要約】【課題】複数のブロックにより表示面を形成する電光表示装置において、ブロックの取り付け、取り外しを表側からでも裏側からでも行えるようにする。【解決手段】赤色発光ダイオード１４Ｒ、青色発光ダイオード１４Ｂ、緑色発光ダイオード１４Ｇを１個ずつ入れたセル１３をマトリックス状に配列してセルブロック１０を構成する。セルブロック１０は箱形容器３０に複数個収納されて表示面２を形成する。セルブロック１０は箱形容器３０の底板３２に対しスペーサ２１を介在させる形で固定される。スペーサ２１はセルブロック１０を表側から貫通する第１のねじ１７によりセルブロック１０の裏側に固定され、底板３２を裏側から貫通する第２のねじ２４により底板３２の表側に固定される。第１のねじ１７と第２のねじ２４は共通のねじ穴２２にねじ込まれる。【選択図】図５
2007264201.tif 000002
【特許請求の範囲】
【請求項１】
発光ダイオードを入れたセルをマトリックス状に配列したセルブロックを箱形容器に複数個収納して表示面を形成する電光表示装置において、
前記セルブロックは前記箱形容器の底板に対しスペーサを介在させる形で固定されるものであり、前記スペーサはセルブロックを表側から貫通する第１のねじによりセルブロックの裏側に固定され、前記底板を裏側から貫通する第２のねじにより底板の表側に固定されることを特徴とする電光表示装置。
【請求項２】
前記第１のねじと第２のねじは、前記スペーサに設けられた共通のねじ穴にねじ込まれることを特徴とする請求項１に記載の電光表示装置。
【請求項３】
前記箱形容器は、前記底板の裏側に裏蓋を有し、この裏蓋に前記発光ダイオードの点灯制御部が設けられていることを特徴とする請求項１または２に記載の電光表示装置。
【発明の詳細な説明】
【技術分野】
【０００１】
本発明は発光ダイオードを用いる電光表示装置に関する。
【背景技術】
【０００２】
発光ダイオードを用いる電光表示装置は、宣伝広告、ニュース報知、案内表示などの用途に広く使用されている。特許文献１、２にその例を見ることができる。
【０００３】
特許文献１には、赤色発光ダイオード、緑色発光ダイオード、青色発光ダイオードを１個ずつ組み合わせて構成した発光素子を１６行×１６列の計２５６個並べて１個の表示体とし、この表示体を２行×３列の計６個並べた電光表示装置が記載されている。
【０００４】
特許文献２には、１画素を構成する３つの発光ダイオードを一方向に並べて構成した発光装置を、収納用シートに設けられている収納ポケットに収納して構成した表示装置が記載されている。
【特許文献１】特開２００５−１８１６６６号公報（［００１６］−［００７５］、図１−４）
【特許文献２】特開２００５−９９７９２号公報（［０００６］−［００５７］、図１−１２）
【発明の開示】
【発明が解決しようとする課題】
【０００５】
電光表示装置を長時間使用していると、発光ダイオードが交換時期を迎える。屋外使用の電光表示装置では、雨水が配線部に浸入してダメージをもたらすこともある。そこで電光表示装置には、発光ダイオードのメンテナンスや配線の修理を容易に行える仕組みが求められる。
【０００６】
通常の電光表示装置の場合、単一の基板に全ての発光ダイオードを装着するのでなく、所定の大きさ（多くの場合、一つの文字を構成できる数の発光ダイオードを含む大きさ）のブロックを形成して枠体や筐体にねじ止めし、ブロック単位で交換できるようになっている。ところで電光表示装置は建物の窓の外側や屋上の縁に設置されることがある。このような場合、窓の内側や屋上の縁の内側からねじを取り外せる仕組みがあると便利である。
【０００７】
本発明は上記の点に鑑みなされたものであり、複数のブロックにより表示面を形成する電光表示装置において、ブロックの取り付け、取り外しを表側からでも裏側からでも行えるようにし、組立及び保守の便宜を図ったものである。
【課題を解決するための手段】
【０００８】
（１）上記目的を達成するために本発明は、発光ダイオードを入れたセルをマトリックス状に配列したセルブロックを箱形容器に複数個収納して表示面を形成する電光表示装置において、前記セルブロックは前記箱形容器の底板に対しスペーサを介在させる形で固定されるものであり、前記スペーサはセルブロックを表側から貫通する第１のねじによりセルブロックの裏側に固定され、前記底板を裏側から貫通する第２のねじにより底板の表側に固定されることを特徴としている。
【０００９】
この構成によると、窓の外側や屋上の縁に電光表示装置を設置した場合、第２のねじが窓の内側あるいは屋上の縁の内側に向くことになる。第２のねじを取り外せば、セルブロックはその裏面側にスペーサを固定した状態で取り外すことができる。窓の内側あるいは屋上の縁の内側でドライバーを使えるので、無理な作業姿勢を強いられることもなく、ドライバーを路上に落とす危険も少ない。また電光表示装置が壁の表面に取り付けられ、第２のねじにドライバーを届かせることができないときは、表側から第１のねじを取り外すことにより、セルブロックを取り外すことができる。
【００１０】
（２）また本発明は、上記構成の電光表示装置において、前記第１のねじと第２のねじは、前記スペーサに設けられた共通のねじ穴にねじ込まれることを特徴としている。
【００１１】
この構成によると、第１のねじ用のねじ穴と第２のねじ用のねじ穴を別々にスペーサに設ける必要がなく、スペーサの構造を簡素にし、製造を容易にすることができる。
【００１２】
（３）また本発明は、上記構成の電光表示装置において、前記箱形容器は、前記底板の裏側に裏蓋を有し、この裏蓋に前記発光ダイオードの点灯制御部が設けられていることを特徴としている。
【００１３】
この構成によると、一つの容器に発光ダイオードのみならずその点灯制御部も組み込むことができ、電光表示装置をコンパクトにまとめることができる。
【発明の効果】
【００１４】
本発明によると、表側から第１のねじを取り外しても、裏側から第２のねじを取り外しても、どちらでも箱形容器からセルブロックを取り外すことができる。従ってセルブロック交換の必要が生じたときは、発光表示装置の設置状況に応じて作業のしやすい方からセルブロックを取り外すことができる。
【発明を実施するための最良の形態】
【００１５】
以下、本発明の一実施形態を図１−６に基づき説明する。図１は電光表示装置の正面図、図２は電光表示装置の側面図、図３はセルブロックの正面図、図４はセルブロックを箱形容器に取り付けた状態の断面図、図５は第２のねじを外してセルブロックを取り外す状況を示す断面図、図６は第１のねじを外してセルブロックを取り外す状況を示す断面図である。
【００１６】
電光表示装置１は、発光ダイオードを入れたセルをマトリックス状に配置したセルブロック１０を２行×４列の計８個ならべて表示面２を形成し、この表示面２を箱形容器３０（図２参照）に取り付けた構成である。なお２行×４列というのは一つの例にすぎず、他の行数・列数であってもよい。
【００１７】
セルブロック１０は、図４に見られるように、合成樹脂製の格子体１１の裏側（表示面２を見る者が位置する側を表側、その反対側を裏側とする。以下本明細書において同じ）に基板１２を組み合わせて構成される。格子体１１の格子の一つ一つが正面形状正方形のセル１３となる。セル１３の数は８行×８列の計６４個である。なお８行×８列というのは一つの例にすぎず、他の行数・列数であってもよい。格子体１１は光を通さない合成樹脂で成型され、従ってセル１３同士間で光が漏れることはない。
【００１８】
個々のセル１３には、赤色発光ダイオード１４Ｒ、青色発光ダイオード１４Ｂ、緑色発光ダイオード１４Ｇが１個ずつ配置される。必要に応じセル１３に透明な合成樹脂を注入して上記３個の発光ダイオードをモールドする。
【００１９】
格子体１１には４箇所にねじボス１５を形成する。そしてねじボス１５と基板１２を表側から裏側へと貫く貫通穴１６（図６参照）を設ける。貫通穴１６は第１のねじ１７を通すのに用いられる。
【００２０】
格子体１１の裏側には、基板１２を覆い隠す板金製の裏板１８が配置される。裏板１８はトレイ状であり、その周縁は格子体１１に形成された溝１９に差し込まれる。格子体１１と裏板１８の間にはシール部材２０が挟み込まれ、この箇所から基板１２の裏側に水が浸入するのを防ぐ。
【００２１】
基板１２の裏側には、ねじボス１５に対応する位置に円筒形のスペーサ２１が配置される。スペーサ２１には貫通穴１６に整列するねじ穴２２が形成されており、裏板１８にはスペーサ２１を通す貫通穴２３が形成されている。ねじ穴２２には、表側から貫通穴１６を通じて第１のねじ１７がねじ込まれ、裏側から第２のねじ２４がねじ込まれる。
【００２２】
箱形容器３０は板金製で、正面形状矩形の枠部３１に底板３２（図４参照）を固定した構成である。底板３２にはスペーサ２１のねじ穴２２に整列する貫通穴３３（図５参照）が形成される。底板３２の裏側には裏蓋３４（図２参照）が配置される。裏蓋３４は図示しないヒンジ部によって枠部３１に取り付けられ、ヒンジ部を中心として開閉できるようになっている。裏蓋３４には発光ダイオードの点灯制御部３５が設けられる。
【００２３】
セルブロック１０を箱形容器３０に取り付けるにあたっては、スペーサ２１を基板１２の裏側に第１のねじ１７で固定し、裏板１８を溝１９に差し込んだ状態で、セルブロック１０の裏面を底板３２の表側の面にあてがう。この時、裏板１８と底板３２の間にシール部材３６を挟む。そして、底板３２の貫通穴３３を通じて第２のねじ２４をねじ穴２２にねじ込み、締め付ければ、セルブロック１０は取付完了となる。
【００２４】
セルブロック１０を取り外す必要が生じた場合、電光表示装置１の設置状況に応じて次の二つのやり方のいずれかを採用する。電光表示装置１が建物の窓の外側や屋上の縁に設置されていて、裏蓋３４の開放が可能なときは、裏蓋３４を開き、底板３２の裏側を露出させておいて、窓の内側あるいは屋上の縁の内側からドライバーで第２のねじ２４を取り外す。すると図５に示すように基板１２の裏面側にスペーサ２１を固定した状態でセルブロック１０を取り外すことができる。窓の内側あるいは屋上の縁の内側でドライバーを使えるので、無理な作業姿勢を強いられることもなく、ドライバーを路上に落とす危険も少ない。
【００２５】
電光表示装置１が壁の表面に取り付けられていて、裏蓋３４を開けることも、第２のねじ２４にドライバーを届かせることもできないときは、表側から第１のねじ１７を取り外す。すると図６に示すように、裏板１８とスペーサ２１を底板３２に付着させたまま、格子体１１と基板１２の組み合わせのみ取り外すことができる。
【００２６】
以上、本発明の実施形態につき説明したが、本発明の範囲はこれに限定されるものではなく、発明の主旨を逸脱しない範囲で種々の変更を加えて実施することができる。
【産業上の利用可能性】
【００２７】
本発明は電光表示装置に広く利用可能である。
【図面の簡単な説明】
【００２８】
【図１】電光表示装置の正面図
【図２】電光表示装置の側面図
【図３】セルブロックの正面図
【図４】セルブロックを箱形容器に取り付けた状態の断面図
【図５】第２のねじを外してセルブロックを取り外す状況を示す断面図
【図６】第１のねじを外してセルブロックを取り外す状況を示す断面図
【符号の説明】
【００２９】
１    電光表示装置
２    表示面
１０  セルブロック
１１  格子体
１２  基板
１３  セル
１４Ｒ  赤色発光ダイオード
１４Ｂ  青色発光ダイオード
１４Ｇ  緑色発光ダイオード
１７  第１のねじ
１８  裏板
２１  スペーサ
２２  ねじ穴
２４  第２のねじ
３０  箱形容器
３１  枠部
３２  底板
３４  裏蓋
３５  点灯制御部
【図１】
2007264201.tif 000003
【図２】
2007264201.tif 000004
【図３】
2007264201.tif 000005
【図４】
2007264201.tif 000006
【図５】
2007264201.tif 000007
【図６】
2007264201.tif 000008